(57)【要約】【課題】円滑なフックの回転が得られるイヤセットを提供することを課題とする。【解決手段】回転機構２００は、貫通穴２０１が形成された第１突出部２０３と、第１突出部２０３と間隔をもって形成され、貫通穴２０１と同じ径の穴２０７が形成された第２突出部２０９と、フック１０７に形成され、第１突出部２０３、第２突出部２０９間に配置される第１ヒンジピン２２１と、第１ヒンジピン２２１が嵌入可能な内筒部を有し、第１突出部２０３の貫通穴２０１、第２突出部２０９の穴２０７に回転可能に嵌合可能で、母線長が第１突出部２０３、第２突出部２０９間の間隔より長くなるように設定された円筒状の第２ヒンジピン２５１とで構成する。【選択図】      図３
2005033453.tif 000002
【特許請求の範囲】
【請求項１】
一方の端部側にマイクロホンが、他方の端部側に耳介内に納めるイヤホンが設けられた本体と、該本体に対して回転機構を介して耳介の上側に沿って掛けるフックが設けられたイヤセットにおいて、
前記回転機構は、
前記本体に形成され、前記本体の長手方向に対して交差する方向に突出し、前記本体の長手方向の貫通穴が形成された第１突出部と、
前記本体に前記第１突出部と間隔をもって形成され、前記第１突出部と同じ方向に突出し、前記貫通穴に対向し、前記第１突出部と対向する面に開口を有し、前記貫通穴と同じ径の穴が形成された第２突出部と、
前記フックの回転基部側に形成され、前記第１突出部、前記第２突出部間に配置される第１ヒンジピンと、
該第１ヒンジピンがその一方の開放された端面から嵌入可能な内筒部を有し、前記一方の端面から筒面の母線方向に沿って前記フックの回転基端側が挿通可能な溝が形成され、前記第１突出部の貫通穴、前記第２突出部の穴に回転可能に嵌合可能で、母線長が前記第１突出部、前記第２突出部間の間隔より長くなるように設定された円筒状の第２ヒンジピンと、
からなることを特徴とするイヤセット。
【請求項２】
前記第１ヒンジピンは、両端に開放面が形成された円筒であり、
前記マイクロホン、前記イヤホンに接続されるコードが、前記フックの内部から前記第１ヒンジピンの内筒部を介して、前記本体内に入り、前記マイクロホン、前記イヤホンに接続されることを特徴とする請求項１記載のイヤセット。
【請求項３】
前記本体は、前記マイクロホンが設けられるブーム部と、前記イヤホンが設けられるイヤホンハウジング部とからなり、
前記ブーム部は前記イヤホンハウジング部に対して回転可能に設けたことを特徴とする請求項１又は２記載のイヤセット。
【発明の詳細な説明】
【０００１】
【発明の属する技術分野】
本発明は、一方の端部側にマイクロホンが、他方の端部側に耳介内に納めるイヤホンが設けられた本体と、該本体に対して回転機構を介して耳介の上側に沿って掛けるフックが設けられたイヤセットに関する。
【０００２】
【従来の技術】
従来のイヤセットの一部破断断面図である図７に示すように、本体１の一方の端部側には、マイクロホン３が設けられ、他方の端部側には耳介内に納められるイヤホン５が設けられている。耳介の上側に沿って掛けるフック７は回転機構９を介して本体１に取り付けられ、軸Ａ−Ａを中心に回転可能となっている（例えば、特許文献１参照）。
【０００３】
【特許文献１】
特公平７−１０１９０１号公報（第２頁、第１図、第２図）
【０００４】
【発明が解決しようとする課題】
上記構成のイヤセットの回転機構９は、本体１側の凹部１ａとフック７側の凸部７ａとの嵌め合いによりなっている。したがって、本体１、フック７が図７の紙面と平行な方向に分割可能な割り構造となっている。しかし、本体１、フック７の寸法誤差等により、つなぎ目で段差が発生し、フック７の円滑な回転が得られない問題点がある。
【０００５】
本発明は、上記問題点に鑑みてなされたもので、その課題は円滑なフックの回転が得られるイヤセットを提供することにある。
【０００６】
【課題を解決するための手段】
上記課題を解決する請求項１記載の発明は、一方の端部側にマイクロホンが、他方の端部側に耳介内に納めるイヤホンが設けられた本体と、該本体に対して回転機構を介して耳介の上側に沿って掛けるフックが設けられたイヤセットにおいて、前記回転機構は、前記本体に形成され、前記本体の長手方向に対して交差する方向に突出し、前記本体の長手方向の貫通穴が形成された第１突出部と、前記本体に前記第１突出部と間隔をもって形成され、前記第１突出部と同じ方向に突出し、前記貫通穴に対向し、前記第１突出部と対向する面に開口を有し、前記貫通穴と同じ径の穴が形成された第２突出部と、前記フックの回転基部側に形成され、前記第１突出部、前記第２突出部間に配置される第１ヒンジピンと、該第１ヒンジピンが一方の開放された端面から嵌入可能な内筒部を有し、前記一方の端面から筒面の母線方向に沿って前記フックの回転基端側が挿通可能な溝が形成され、前記第１突出部の貫通穴、前記第２突出部の穴に回転可能に嵌合可能で、母線長が前記第１突出、前記第２突出間の間隔より長くなるように設定された円筒状の第２ヒンジピンと、からなることを特徴とするイヤセットである。
【０００７】
フックの回転基部に形成された第１ヒンジピンを本体に形成された第１突出部、第２突出部との間に配置する。次に、第２ヒンジピンの開放面がある端面を先頭に第１突出部の貫通穴から第２突出部の穴に向かって挿入する。この時、第２ヒンジピンの内筒部に第１ヒンジピンが嵌入すると共に、第２ヒンジピンの筒面に形成された溝にフックの回転基部側が挿通し、第１ヒンジピンと第２ヒンジピンとは一体化される。
【０００８】
第２ヒンジピンの母線長は、前記第１突出部、前記第２突出部間の間隔より長くなるように設定されているので、第２ヒンジピンの一方の端部側は本体の第１突出部の貫通穴に回転可能に嵌合し、第２ヒンジピンの他方の端部側は本体の第２突出部の穴に回転可能に嵌合し、フックは本体に対して回転可能となる。
【０００９】
第１突出部の貫通穴、第２突出部の穴と、これら穴に嵌合する第２ヒンジピン、第１ヒンジピンとで回転機構が形成されるので、円滑なフックの回転が得られる。
【００１０】
請求項２記載の発明は、前記第１ヒンジピンは、両端に開放面が形成された円筒であり、前記マイクロホン、前記イヤホンに接続されるコードが、前記フックの内部から前記第１ヒンジピンの内筒部を介して、前記本体内に入り、前記マイクロホン、前記イヤホンに接続されることを特徴とする請求項１記載のイヤセットである。
【００１１】
前記マイクロホン、前記イヤホンに接続されるコードが回転機構の回転軸である第１ヒンジピンの内筒部を通ることにより、フックが回転してもコードに大きな負荷（ねじれ）が発生せず、疲労によるコードの断線等が少なくなる。
【００１２】
又、コードは、前記フックの内部から前記第１ヒンジピンの内筒部を介して、前記本体内に入り、前記マイクロホン、前記イヤホンに接続されることにより、コードが外部に露出せず、見栄えがよい。
【００１３】
請求項３記載の発明は、前記本体は、前記マイクロホンが設けられるブーム部と、前記イヤホンが設けられるイヤホンハウジング部とからなり、前記ブーム部は前記イヤホンハウジング部に対して回転可能に設けたことを特徴とする請求項１又は２記載のイヤセット。
【００１４】
前記ブーム部は前記イヤホンハウジング部に対して回転可能であるので、マイクロホンをイヤセット装着者の口元に対して最適な位置に配置することができる。
【００１５】
【発明の実施の形態】
最初に、図２を用いて実施の形態のイヤセットの全体構成を説明する。図２（ａ）は平面図、図２（ｂ）は図２（ａ）の左側面図である。図において、本体１０１の一方の端部側には、マイクロホン１０３が設けられ、他方の端部側には耳介内に納められるイヤホン１０５が設けられている。耳介の上側に沿って掛けるフック１０７の一方の端部（回転基部）側は図示しない回転機構を介して本体１に取り付けられ、矢印Ｂ方向に回転可能となっている。また、フック１０７の他方の端部（回転端部）側には、イヤホン１０５、マイクロホン１０３に接続されるコード１０９が設けられている。更に、コード１０９の先端には、プラグ１１１が設けられている。
【００１６】
次に、実施の形態のイヤセットの分解斜視図である図１を用いて説明する。本体１０１は、イヤホン１０５が設けられるイヤホンハウジング部１２１と、マイクロホン１０３が設けられるブーム部１３１とからなっている。イヤホンハウジング部１２１は、ハウジング１２３とハウジングカバー１２５とからなり、ブーム部１３１はブームカバー１３３とブームボトム１３５とからなっている。イヤホンハウジング部１２１に設けられるイヤホン１０５は、スピーカ１２７とスピーカ１２７を保護するカバー１２９とからなっている。ブーム部１３１に設けられる円柱状のマイクロホン１０３の円柱面には、アースシート１３７が巻かれている。
【００１７】
そして、イヤホンハウジング部１２１のハウジングカバー１２５にはブーム部１３１方向に突出する第１アーム部１５１が形成され、ブーム部１３１のブームボトム１３５には、イヤホンハウジング部１２１方向に突出し、第１アーム部１５１と積層される第２アーム部１５３が形成されている。第１アーム部１５１、第２アーム部１５３にはそれぞれ穴１５５、穴１５７が形成されている。そして、ハウジングカバー１２５の第１アーム部１５１の穴１５５、ブームボトム１３５の第２アーム部１５３の穴１５７を挿通し、ハウジング１２３に螺合するねじ１５９により、ブーム部１３１はイヤホンハウジング部１２１に対して回転可能となっている。尚、本実施の形態では、第１アーム部１５１と第２アーム部１５３との間に、低摩擦材でなるワッシャ１６１を配置し、滑らかな回転を得るようにした。更に、第２アーム部１５３には穴１５７を中心とする円弧状の切欠溝１６３を形成し、第１アーム部１５１には、切欠溝１６３内に突出する突出１６５が形成されている。従って、切欠溝１６３の端面１６３ａ、端面１６３ｂが突出１６５に当接する範囲で、ブーム部１３１はイヤホンハウジング部１２１に対して回転可能となっている。
【００１８】
次に、図１の回転機構部分の拡大図である図３を用いて、回転機構２００の説明を行う。イヤホンハウジング部１２１のハウジング１２３には、ハウジング１２３の長手方向に対して交差する方向に突出し、ハウジング１２３の長手方向の貫通穴２０１が形成された第１突出部２０３と、ハウジング１２３に第１突出部２０３と間隔をもって形成され、第１突出部２０３と同じ方向に突出し、貫通穴２０１に対向し、第１突出部２０３と対向する面に開口２０５を有し、貫通穴２０１と同じ径の穴２０７が形成された第２突出部２０９とが形成されている。
【００１９】
一方、フック１０７の回転基部側には、第１突出部２０３、第２突出部間２０９の間に配置される半割円筒状の第１ヒンジピン２２１が形成されている。
【００２０】
図３の第２ヒンジピンの拡大斜視図である図４に示すように、第２ヒンジピン２５１は、円筒状であり、その一方の端面に形成された開放面２５３から第１ヒンジピン２２１が嵌入可能な内筒部２５５を有し、一方の端面から筒面の母線方向に沿ってフックの回転基端側が挿通可能な溝２５７が形成され、第１突出部２０３の貫通穴２０１、第２突出部２０９の穴に回転可能に嵌合可能で、母線長Ｌが第１突出部２０３、第２突出部２０９間の間隔より長くなるように設定されている。尚、本実施の形態では、母線長Ｌは、第１突出部２０３の貫通穴の長さと、第１突出部２０３、第２突出部２０９の間の間隔と、第２突出部２０９の穴２０７の深さとの和と略等しくなるようにした。更に、他方の端面には、図３に示すように、コード１０９が挿通可能な穴２５９が形成されている。図３に戻って、本実施の形態例では、フック１０７の回転基端部には、第２ヒンジピン２５１の溝２５７に嵌合する円弧状の突起２６１、突起２６３を形成した。
【００２１】
次に、回転機構２００の組付け方法を説明する。最初に、図６に示すように、コード１０９は、フック１０７の他方の端部（回転端部）側からフック１０７内に入り、フック１０７の一方の端部（回転基部）の第１ヒンジピン２２１から外部に露出する。コード１０９はここで、第１ヒンジピン２２１の内筒部の中心軸に沿って２本のコードに分割され、一方のコード１０９ａはイヤホン１０５に、他方のコード１０９ｂはマイクロホン１０３に接続される。一方のコード１０９ａは第２突出部２０９の穴２０７を介してイヤホンハウジング部１２１内に入り、スピーカ１２７へ接続される。他方のコード１０９ｂは、第２ヒンジピン２５１の開放面２５３から内筒部２５５に入り、穴２５９を通り、ブーム部１３１内に入り、マイクロホン１０３に接続される。
【００２２】
そして、図５に示すように、フック１０７の第１ヒンジピンを第１突出部２０３、第２突出部間２０９の間に配置したのち、第２ヒンジピン２５１の開放面２５３がある端面を先頭に第１突出部２０３の貫通穴２０１から第２突出部２０３の穴２０７に向かって挿入する。この時、第２ヒンジピン２５１の内筒部２５５に第１ヒンジピン２２１が嵌入すると共に、第２ヒンジピン２５１の筒面に形成された溝２５７にフック１０７の回転基部側が挿通し、第１ヒンジピン２２１と第２ヒンジピン２５１とは一体化される。尚、本実施の形態では、フック１０７の形成した円弧状の突起２６１、突起２６３は、第２ヒンジピン２５１の溝２５７に嵌合する。
【００２３】
第２ヒンジピン２５１の母線長は、本実施形態では、第１突出部２０３の貫通穴の長さと、第１突出部２０３、第２突出部２０９の間の間隔と、第２突出部２０９の穴２０７の深さとの和と略等しくなるようにしたことにより、第２ヒンジピン２５１の一方の端部側は第１突出部２０の貫通穴２０１に回転可能に嵌合し、第２ヒンジピン２５１の他方の端部側は第２突出部２０９の穴２０７に回転可能に嵌合し、フック１０７は本体１０１に対して回転可能となる。
【００２４】
このような構成によれば、以下のような効果を得ることができる。
（１）  第１突出部２０３の貫通穴２０１、第２突出部２０９の穴２０７と、これら穴に嵌合する第２ヒンジピン２５１、第１ヒンジピン２２１とで回転機構が形成されるので、円滑なフック１０７の回転が得られる。
（２）マイクロホン１０３、イヤホン１０５のスピーカ１２７に接続されるコードが回転機構２００の回転軸である第１ヒンジピン２２１の中心軸を通ることにより、フック１０７が回転してもコード１０９に大きな負荷（ねじれ）が発生せず、疲労によるコード１０９の断線等が少なくなる。
（３）コード１０９は、フック１０７の内部から第１ヒンジピン２２１の内筒部を介して、本体１０１内に入り、マイクロホン１０３、イヤホン１０５のスピーカ１２７に接続されることにより、コード１０９が外部に露出せず、見栄えがよい。
（４）ブーム部１３１はイヤホンハウジング部１２１に対して回転可能であるので、マイクロホン１０３をイヤセット装着者の口元に対して最適な位置に配置することができる。
【００２５】
尚、本発明は、上記実施の形態に限定するものではない。上記実施の形態では、第１ヒンジピン２２１は半割円筒状としたが円筒状であってもよい。又、第２ヒンジピン２５１の母線長も、第１突出部２０３の貫通穴２０１、第２突出部２０９の穴２０７に嵌合できる長さ、即ち、第１突出部２０３、第２突出部２０９間の間隔より若干長ければよい。
【００２６】
【発明の効果】
以上述べたように請求項１記載の発明によれば、第１突出部の貫通穴、第２突出部の穴と、これら穴に嵌合する第２ヒンジピン、第１ヒンジピンとで回転機構が形成されるので、円滑なフックの回転が得られる。
【００２７】
請求項２記載の発明によれば、前記マイクロホン、前記イヤホンに接続されるコードが回転機構の回転軸である第１ヒンジピンの内筒部を通ることにより、フックが回転してもコードに大きな負荷（ねじれ）が発生せず、疲労によるコードの断線等が少なくなる。
【００２８】
又、コードは、前記フックの内部から前記第１ヒンジピンの内筒部を介して、前記本体内に入り、前記マイクロホン、前記イヤホンに接続されることにより、コードが外部に露出せず、見栄えがよい。
【００２９】
請求項３記載の発明によれば、前記ブーム部は前記イヤホンハウジング部に対して回転可能であるので、マイクロホンをイヤセット装着者の口元に対して最適な位置に配置することができる
【図面の簡単な説明】
【図１】実施の形態のイヤセットの分解斜視図である。
【図２】実施の形態のイヤセットの全体構成を説明する図で、（ａ）図は平面図、（ｂ）図は（ａ）図の左側面図である。
【図３】図１の回転機構部分の拡大図である。
【図４】図３の第２ヒンジピンの拡大斜視図である。
【図５】図１の回転機構の組付けを説明する図である。
【図６】コードの接続方法を説明する図である。
【図７】従来のイヤセットの一部破断断面図である。
【符号の説明】
１０１  本体
１０７  フック
２００  回転機構
２０１  貫通穴
２０３  第１突出部
２０７  穴
２０９  第２突出部
２２１  第１ヒンジピン
２５１  第２ヒンジピン
【図１】
2005033453.tif 000003
【図２】
2005033453.tif 000004
【図３】
2005033453.tif 000005
【図４】
2005033453.tif 000006
【図５】
2005033453.tif 000007
【図６】
2005033453.tif 000008
【図７】
2005033453.tif 000009